(57)【要約】      （修正有）【課題】地球の何処でも活用し、使用する事の可能な、無公害の安価な電力を提供する。【解決手段】回転体の外枠１１の中段を、天井とする中間位置に、電動機回転する継続の重心位置を取り換える手段から、重量回転体を継続回転する、捩れ回転運動で、重心位置を取り換える仕組みに重心位置を回転方向の前に重心を取り換える基に、下部の重量集積回転体２の自然重量回転体となる仕組みに、勾配、高さの曲線形状の、高い位置の重心位置を、また回転方向の前に回転移動する重量回転体の回転形状から発生する振動も重心位置を取り換える仕組みに取り換える動力にする重量回転体にして、自然重量回転する重心位置を、回転体の高さ位置の慣性動力も、そこに発生する振動も重心位置を取り換える重量回転体の勾配の高さの形状の曲線形状の回転体を設ける手段から自然回転力を高める構造の重量回転体にする。【選択図】図１
2019065836.tif 000002
【特許請求の範囲】
【請求項１】
物体の落下する力の方向を変換して、水平方向の回転運動に換え、中心棒（１３）に、重量集積回転盤（２）を設けて、この回転体に多数の分銅（６）を取り付けて、発電機（４）、蓄電器（４８）、電動機（３）を装着した勾配、曲線形状の重量回転体（２）となる重心位置を、回転進行方向の前に、重心位置を位置付ける方向の前に移動回転する仕組の重量回転体を、外枠（１１）の中段を天上位置（２１）に、回転自在に平板回転盤（１２）を設け、その中点に球体（４４）を設けて穴を開け、重量回転体（２）を吊状に支え持つ回転棒（１４）をこの穴に。通して、上に伸ばし、同じ（１２）の中の（４４）から距離を置く配設位置にも穴を開け、ここに中心回転棒（１３）を回転状に通して装着し、二組の（１２）の中で同時回転する仕組から、二つの棒の捩れ回転する事から下部の重量回転体（２）を回転する重心位置を前に進める重心位置を取り換える重量回転体（２）の回転力で発電機を回転する仕組を特徴とする重量回転増幅発電機。
【請求項２】
傾斜勾配の曲線形状の重量集積回転体（２）を更に、大型化し、大型発電機を回転する多数の重量集積回転体（２）の回転中心棒（１３）を軸として、中心回転基盤（１）から接合する、数を増す取り付け仕組みの重量回転盤（２）を、数を増す仕組みに、縦付け型と、横づけ型の、重量回転体基盤（２）の、接合する形状から多角形の重量集積回転体（２）となる、一つの回転体に纏る集合の左右の重さの異なる一つの重心位置にする重心位置の前の方向に回転を進める重心位置を基準にした、重量回転する勾配曲線形状の重量回転体（２）を特徴となる第一項の重量回転増幅発電機。
【請求項３】
重力回転体（２）の外周部に、回転空気抵抗を受けて回転速度の抵抗を少なくする仕組みの、回転体を円盤状容器で回転体（２）の外周部を包装し、外枠に真空ボンブ（５０）を設けて、回転体と外枠（１１）の内部を真空状体にする空気抵抗の摩擦を少なくする特徴とする第一項の重力回転増幅発電機
【発明の詳細な説明】
【技術分野】
【０００１】  本発明は，燃料も要らない、自然体の物質の落下する重量方向を変換して、水平方向の回転する自然回転力を高めてそこに発生する重量回転で、発電機を回転する仕組みの発電機に関する。
【背景技術】
【０００２】  従来の発電機は、例えば、水力のダムの貯水池を築いて、その川のダムの貯水池の水で水車を回し、水量の回転力で、発電機を回転する方式の水力発電機があった。更に、燃料のエネルギーで、発電機を回転する力の内燃機関の回転力で、発電機を回転する内燃発電機があった。また風力の力で、風車を回して発電機を回転する風力発電機があった。最近は、太陽の光で、二種類の金属の中に光を通して発生する電流を組合す集合から、電気を起こす太陽光電気や、原子力の核融合の熱で、水を沸かして水蒸気圧でタービンを回転する力で、発電機を回転する原子力発電機があった。
また、海流の流を利用して水流の力で、発電機を回転する水流発電機等があった。【０００３】そのために、次のような問題があった。
これらは、内燃機関の回転による燃料の価格の高騰となる、外国依存の回転力発電機で、我が国は燃料資源が貧しく、外国依存の発電機となる、電力は燃料からも不安定があった。また、風力発電機は、気候や、立地条件で、場所に限定して、風が無い期間が続き、立地場所から安定感が無く、未来に対しても変動する社会情勢から、供給不足の事態の中に発電しない日が続き、継続回転も少なく未透視もあまり良くない。また更に、太陽光電気の様に、昼夜の太陽の光の無い日や、雨天の日には、電流も限られて、取り出せない光条件に、左右される限定的、利用の弊害が多い発電機の問題を抱えている。
更に、原子力発電機も、放射能による人体被害が、続き、更に改善不能の問題も、多く発生して、また、内燃機関や、火力発電機にも前途は暗い。公害問題も出てきて、不安も出て来て、行き詰まり、未来に多大の問題を残した。これらの問題は、地球の温暖化や、公害問題にも発展してきて、更に、前途に電力依存の社会には、供給不足事態となって来ている時代に、対応する発電機としては、これらの多くの問題を解決する、重要とする考え方を、変える画期的な、未来志向の自然体に優しい発電機として、重力回転発電機の燃料の要らない発電機である。【０００４】これ等の問題に鑑みて、本発明は、これに、対応する自然の力の無公害の発電機として、登場し、また。上記の問題を解決する為に考えた。地球が存在する限り発電を続ける仕組みから、地球の根源の引力、基本的な宇宙の衛星でも、活用することのできる重力、万有引力の自然質量に比例して、重量回転力を強くする無限の重力に、よる自然物体の公害の無い、自然体に存在する、地球に対する引き合う力の方向を変換する。水平回転する重量回転体の回転動力である。そこに、自然体の重量回転体となる，重量集積回転体の構造と機能を効果的に高める自然回転を高め、更に、自然に適応する回転体の機能と長さ、曲線形状の勾配、傾斜、高さ位置の自然体の高低重量回転の効率と、そこから発生する重心位置に対応の組みの合わせの重量回転運動力の中から自然回転力となる効果的に引き起こす、重心位置を取り換える回転機能に対して、これに更に、継続機能の重心位置を取り換える仕組みの、考案した、重量回転体の中心とする平板回転盤（１２）を基本とする、考案の基に、外部の取り付け位置と、内部の回転位置の相関関係の重量回転機能の構造から、重心位置を取り換える仕組みの自然回転力を高める重心位置を、上下の高さの位置の組合せ機能の位置から自然回転力を取り出す仕組みの重心位置を取り換える仕組みの回転力を起こす考案した、重力回転で発電機を回転する自然回転力を取り出す重量回転の動力による発電機である。
【先行技術文献】
【０００５】
【特許文献１】特開平  ２０１７−１３９９６４
【特許文献２】特開平  ２０１０−０３１８２３
【発明の概要】
【発明が解決しようとする課題】
【０００７】以上に述べた従来の発電機では、水力発電機でも。水力のダムの貯水池に貯めた、その水の流れの水流に水車を当てた回転力で、発電する仕組みであった。そこに川の水量を多く必要とする大きな川が少なくなり、ダム工事となる工事も、また高額の経費も掛かる問題から。更に水は工業用水の増加から、また飲料水の増加から、水は益々生活水として不足となりダム工事には採算が立たなく限られ、建設する適地場所も無くなり、無駄なダム工事も出来ない時代にもなりつつある。これらの問題課題や、外国依存の燃料の公害問題を解消する課題の解決の目的のもので有る。【０００８】  本発明はこのような従来の構造を有していた問題を解決する為に、今までは。発電機といえば内燃機関の様に。燃料を多く必要とする基本に立つもので有った。例えば、原子力発電機でも外国依存の放射性鉱物の輸入の下に計画している。核融合の放射能の被害となる問題も出てきだし、化石燃料の火力発電機の様に燃料を基本とする発電機であった。そこに燃料からの人体被害の問題も発生して来て、暗い影を残し、公害問題で行き詰まりを見せて来ている。しかし。それに代わる風力発電機も風の無い日が続き、風の通る場所にも限られて居て、風の通る立地条件場所も少ない。ここに代わって登場して来た、太陽光電気も、昼夜の時間帯の中に限られた発電時間の制限の下に、また雨天の日。昼夜の日照時間が限られ、電力供給不足となる困難の事態が来ている。そこに、電力の供給不足の事態から、電力は今後も増々要求されて来ている。
電力の供給不足の発電機として、必要事態となって来っている。ここに燃料の必要のない自然体の回転力で、日照作用の無い発電機として提供する。【０００９】  そして、また、そこに上記の目的を達成するために問題から、本発明は、公害の無い燃料の要らない、自然体の発電機を考案した物である。それが、自然の落下する引力の方向を変換して、水平方向の重力回転運動に取り換えて、燃料の要らない発電機を発明した、従来の発電機の仕組みを根本から換える自然の無公害の重量回転する発電機である。
重量回転体の中心棒と、この重量を支え持つ吊状回転支持棒の二つを、一組として同時回転する。平板回転盤（１２）による、平板回転盤の中に捩れ回転する仕組みから重心位置を取り換える、継続の仕組みの物体の重量集積回転体（２）の中に、自然の重量回転体の重心位置から反作用の回転力を起こす、重量集積回転体による形状から重心位置を回転方向に進めて、大型発電機を回転する仕組みの、重力回転力で発電機を回転する重量回転発電機である。
また、半永久的な自然重量回転体の重量回転動力で、大型発電機を回転する仕組みを特徴とする本発明の重力回転増幅発電機である。
【課題を解決するための手段】
【００１０】そして、本発明は上記目的を達成する為に、以上に述べたように従来の発電機は。公害問題や。燃料問題や外国依存の燃料費の高騰が発生して、ここに地球の温暖化と、人体被害の公害問題被害ある発電機となって来ている、更に、電力供給不足の事態になっている中に、多くの問題、原因、課題がある。ここに第一の燃料の要らない重量回転体の自然の動力回転盤の組み合わせによる、複数重量回転の形態に組み合わせから拡大する仕組みに。更に重量を増す大型発電機の回転体にする重量回転体の多角形の組み合わせから、拡大動力による重量回転体から無限の拡大で大型発電機の電力を、半永久的に、無公害の地球に優しい、燃料の要らない、自然体の重量の物体の重心位置を、回転進行方向に重心位置を取り換える仕組みに考案した事から、安価な電力を提供する。新しい構造体の発電機をここに提供するものである。【００１１】また、上記の目的を達成する為に、安価な発電機として、燃料の要らない自然体の無公害の物体から自然の回転力を取り出す為に。自然の回転力にする困難とする問題もあって。これを克服した仕組みが、自然の重量回転体の形状に構造体にあり、更に大型の発電機の回転にする自然の重量回転となる継続の重量回転の形状構造体である。また更に重心位置を取り換える仕組みの継続の重心位置を取り換える仕組みの問題も出てきた問題を克服する考案の重量回転との連動性の中に自然の回転力である。そこに考案した重心位置を取り換える仕組みの平板回転盤（１２）から連結する継続の重心位置を取り換える仕組みの平板回転盤が、ここに考案から新たに登場したものである。【００１２】よって、発電機を回転する重量を増す回転体の拡大から、重量基礎から多数の重量回転盤を取り付ける方法から、重量回転体を多角形の交差する多数の基本の重量集積回転の組み合わす回転盤を、一つの集合の重量回転体にする、重量回転体の長さ、勾配の傾斜高さの曲線の位置の振動も、また、重心位置を回転方向の前に、取り換える動力にする仕組みにした、長さの重量回転体の高さ曲線位置から、重量回転の重心位置を移動する構造体から回転仕組みに取り換える。重心位置を回転進向の前に進める転力による自然の重量回転発電機の回転体の内部発電機の電動機の合成の回転体による解決のものである。【００１３】また、重量回転盤の形状に、傾斜高さ勾配の曲線形状から、重心位置を回転体の進行方向の前に、また進める形状の構造の仕組みで、重心位置を取り換える、傾斜高さの曲線形状の重量集積回転盤の構造の仕組みの中に、長さ、曲線位置に、発生する回転盤による上下振動を伝えるバネ振動を設け。更に、回転体の形状の長さの位置の上下、横振り振動の発生す力を、中心棒から重心更に上下し稼働方向転換機（２６）を考案から取り付けて、振動の動力の位置から、重心位置を取り換える動力に、中心棒（１３）と、重量回支持棒（１４）に、横渡し棒（４７）の、作動の回転体の重心位置を、回転進行方向の前に捩れ回転移動する動力とするものである。【００１４】また更に、中心棒の上部に儲けた、天空分銅（２４）（５５）の慣性力の動力からも、回転体の上部外周からも、高さ位置の慣性力の回転振動（２４）も、反対側の分銅（５６）から鋼線で回転中心棒（１３）と、重量支持回転棒（１４）の、横付け棒（４７）による量慣性動力を加える仕組からより、なお一層の、人体被害の無い自然の動力で。半永久的な自然に優しい発電機として、無公害な、安価な電力を取り出して。社会に喜ばれる放射能の人体被害の無い、自然の回転力を更に高めて。供給不足の電力を、安価な電力をとして。これからの未来に、電力の不足を補う必要な、期待を持てる理想の発電機を提供にする為になされたものである。
【発明の効果】
【００１５】本発明は、静止している物体は、質量の大きさに比例して、重力は増す原理から、質量の、大きさに比例する、無限の可能性があり。量増して重力を増す。
更に、重量総合体の回転体として静止する質量を、運動重力にする変換する回転重量の運動エネルギーから発電機を回転する動力となる。重量集積回転体の回転エネルギーから、発電機を回転する事で、燃料の要らない、無公害の効果があり、更に我が国の燃料の資源の乏しい現状から経費も少ない。自然体の持つ重量回転盤の中に、回転力を増す、回転物体となる。我が国にもその資材が無数にある、自然体の物体の重心位置を取り換える事で、静止する重量の大きさの下に、発生する重量回転の回転力で発電機を回転する。効果である。更にまた、重量回転体には放射能の無い、人体被害もない。安い自然体の物体重量の、どこにも存在する物体から選ばれた質量の安価な電力を供給する効果がある。【００１６】ここに未来志向型の経済的な、安価な電力で、地球が存在する限り発電し続ける動力に活気ある半永久性の回転発電機として、電力供給不足に対応する電力拡大の供給に、無公害の自然体のきれいな物体の重心位置を取り換える、継続回転力に考案した仕組みの発明の基本は、平板回転盤（１２）の構造と回転体の傾斜勾配の高さの曲線形状の形態の基本構造の仕組みの量集積回転体の、重心位置を取り換える仕組みに、重量回転体の重心位置を取り換える平板回転基盤（１２）の、考案の構造か、捩れ回転する自然の回転力を発生する仕組みである。
そこに、誰もが望んでいる自然に期待がある、燃料も要らない、昼夜の区別もない季節風の影響もない、地球のどこでも発電出来る万有引力の方向を転換する仕組みの自然体の動力として、半永久の自然の恩恵を、ここに受け継ぐ、空気汚染も無い人体被害もない地球に優しい燃料の要らない発電機である。効果がある。
【図面の簡単な説明】
【００１７】本発明の第一の実施形態に係る、重力回転の外部構造の（１１）および内部構造の回転の（２）を示す模式図である。
【図１】基本構造体の断面図
【図２】外枠中段天上位置の断面図  本発明の第一図の実施形態に係る重量回転盤において、重心位置を取り換える仕組みの平板回転盤の装置の全体
【図３】基本構造図の断面図
【図４】外枠中段天上断面図
【図５】重量集積回転盤の作動部の見取り図の見取り図
【図６】複数横付け重量集積回転盤の平面図
【図７】複数横付け重量集積回転盤の断面図
【図８】複数縦型取り付け重量回転体の平面図
【図９】回転盤の円盤容器で外装の平面図
【図１０】円盤容器で外装する断面図
【図１１】上下振動方向転換機の断面図
【図１２】上下振動方向転換機の見取り図
【図１３】集積回転盤の中心棒の上部の見取り図
【図１４】中心棒の上部の見取り図
【図１５】外枠真空体の断面図
【図１６】外枠真空体の平面図
【発明を実施するための形態】
【００１８】以下、本発明の実施形態に係る重量回転増幅発電機について、図面を用いて説明する。
＜第１の実施形態＞
イ、まず、本発明の第一の実施形態に係る重量回転体の発電機の図１について、図１、図２、図３、図５を用いて説明しながら全体を説明する。
なお、図１は重量回転体の全体像図、９、１０は円盤回転体の構造図断面図。図、１５．１６は重量回転の、真空体の構造図、図６，８は重量回転体の多数組み合う形状の構造図、
第１の実施形態に、係る重量回転体の全体像であり、図１ついて内部の図２．図３、図６の勾配高さ曲線形状の動力の重量回転体の説明図とする。
ロ、また図１の  ２  ３、５、１３、１４図は内部構造の重量集積回転体を示すものである。
ハ、また図４，８，９は、回転体の内部構造を断面図で示すものである。図４、５、１３，１４は、中心棒の上部の位置の環状外周の慣性力分銅の、取り付け場所の位置の形状の図で示す説明図
二、図１１、１２振動変換器の操作図、図９．図１０．は円盤形状の構造体であり、図１５、図１６、は外枠取り付け真空構造体を示すものである。
【００１９】図１においては、重量回転体（２）の外枠の中段天上部（２１）の中間部には、ベアリング（４５）の上に回転自在に平板回転盤（１２）を設け、その下に重量回転体（２）を吊状に回転する仕組にした下部に重量集積回転体を取り付け、外枠中段天上の上部の外枠（１１）には、蓄電器（１８）、発電機（１７）、外部電流電動機（１５）、整流器（１６）を取り付けて、外枠（１１）の下部には、交流発電機（１０）を設けた外枠構造体の、図１の全体図である。更に、図１５、図１６に示す真空体の外枠構造体に取り付けた、真空ポンプ（５０）を設けた重量回転体（２）、の吊状回転体の外枠構造体（１１）に取り付けの真空作動器具である。
【００２０】この外枠（１１）の内部には、その図１の実施形態に係る、燃料の要らない自然回転する重量回転する仕組の重量集積回転体（２）を自然回転体とする勾配の高さの曲線形状の重量集積回転の中に重心位置に向けて回転する基本構造体の重量回転増幅発電機の動力と成る重量集積回転体（２）を設け、外枠（１１）の中段天上（２１）の位置から下に、回転体の上下の作動する仕組みの重心位置を取り換える上下の作動の位置関係を示す図１である。
【００２１】  重量集積回転体（２）として、大型発電機（１０）を回転する重量回転体（２）には、図３に示すまた勾配傾斜曲線の長さ高さの形状の曲線形の十字型の片方にＬ字型を組合す様な、勾配の高さの曲線の重心位置を取り換える自然形状構造体の造図を示す形状の構造体図
【００２２】この重量回転体には図３、図４、図５、に示す重量回転体（２）の基盤には、発電機（４）、蓄電器（４８）。電動機（５）、電動機（４）を取り付け、更に。重心位置に向けて重量回転する重心位置を持つ重心位置に向けて回転する形状の中に自然に重心位置が回転方向の前に、回転移動する仕組みの回転構造体の、勾配傾斜の高さ曲線の形状の中からも自然の重心位置を重心位置の前に自然の捩れ回転が起こり、自然に回転移動する回転体の位置関係と曲線の長さ位置の自然重量の捩れ重量回転体となる仕組みの物である。
【００２３】そこに、上部天上の中間の位置（２１）から、上部中心棒（７）が、横棒を長く取り付けた分銅（８）を設けて、この中心棒の上部には歯車と発電機（１７）、の噛み合い歯車（１９）と、上部中心棒（７）の回転する外部電流の電動機（１５）の回転からベルトで連結し。回転する中心棒に連結する下部の平板回転盤（１２）の球体（４４）に連絡する平板回転盤（１２）と同時回転する仕組に取り付ける。
【００２４】  その外枠（１１）の中段天上部に、ここに、平板回転盤（１２）から下に重量回転体の重心位置を回転方向の前に、重心位置を進める仕組みの重心位置を取り換える平板回転盤（１２）を、考案から取り付けた自然の重量回転体となる仕組みの重量集積回転体（２）である。
ここに外枠中段の天上（２１）に回転自在に、回転する仕組の上部の外部電流の電動機回転体と連結する上部中心棒（７）と連結する平板回転盤（１２）は。下部の重量回転体の回転盤に吊り状の回転支持棒（１４）の重量回転体の重荷を外枠に負担を掛けて、下部の重量回転体の回転仕組に回転体全体を遠心力回転にする重心位置を、取り換える重量回転体を持ち上げ回転する大切な回転棒（１４）である。
【００２５】この基に、更に、図３、図５に示す傾斜勾配の高さ位置の曲線形状から。成り立つ高さの重心位置を取り換える仕組みの重量集積回転体（２）の重心位置を回転進行方向の前に移動し、更に進める重心位置を移動する仕組の重心位置として、重心位置を回転取り換え進める仕組みかの中に、自然回転力を取り出す重量回転体の重心位置を前に進める回転進行方向に、高さ位置から加速する水平方向に回転体の電動機の内部回転も加わる合成合力の重量回転動力を持つ図３、図、５、図、８、の形状の重量回転体の自然に動く回転する構造体図である。
【００２６】  そこに、重量集積回転体の回転基盤（２）には、発電機（４）、電動機（３）。蓄電器（４８）を装着し、図３に示す、多くの大小の分銅（６）を設けて、回転重心位置から曲線形状の重量の位置関係の長さから動く自然の仕組みの中に発生する振動も、また、回転方向の前に重心位置を進め移動し、重心位置を取り換える重心位置を高低の変化の高さ位置の回転の中に発生する上下振動も、重心位置の取り換える自然回転体となる構造体図３図５の（２）（２６）てある。
【００２７】  更に重量回転体（２）の重心位置を、回転進行方向の前に進める仕組みに考案した、平板回転盤（１２）を設けて、また、その回転体の外枠（１２）に、回転自在に取り付ける、平板回転盤（１２）の回転からも、下部の重量集積回転体の中の重心位置を取り換える継続回転から中段天上の下の位置の重量回転体の中にも、重心位置を取り換える仕組みが加わる上下の効果を高める、自然の回転する重心位置の捩れ回転を起こす自然の反作用の重量回転体となる上下の作動位置から重心位置を取り換える重量回転体の構造体の回転動力で発電機を回転する発電機である。
【００２８】  ここに。また回転体には、傾斜勾配高さの長さの位置に、設ける振動バネ（２７）も、自然回転体の中に振動発生も起こり、重量回転体の回転中に発生する、上下振動を水平方向の動力となる重心位置を前に取り換える、重心位置に捩れ回転力を起こす自然回転の重心位置を取り換え移動する仕組みとなる。事から、重心位置を取り換える反作用の回転力から、重心位置を更に回転方向の前に進める仕組みで重量回転体の自然の回転動力を取り出す仕組みの、重量回転動力と成るものである。重心位置に回転体の動く仕組みの形状に示す図３，図５、図１３の重量集積回転盤（２）の勾配の高さの長さの曲線形状の持つ、振動による捩れ回転を起こす動力と成り、重心位置を回転方向の前に、自然回転力を高める位置から回転体する中に内部振動を動力の（２６）である。
【００２９】  その下に、図３の重量集積回転体（２）には、図２の回転体の外枠（１１）の中段天上の上部（２１）の中間位置から、回転支持棒（１４）と、中心棒（１３）の二つの回転棒が、平板回転盤（１２）から吊り下げ状に。二組の棒の離れた位置に配設する位置関係から、平板回転盤（１２）のその中心に、球体（４４）を設けて、この（４４）に、穴を開け、ここに吊状回転棒（１４）を通して球体（４４）の中に固着して回転する。
また他方の、回転中心棒（１３）も、同じ平板回転盤（１２）内に距離を置いて穴を開けて、この穴に吊状に通した平板回転盤の中点の球体（４４）中に、共に、同時回転する二組の棒の平板回転盤（１２）からの上部中心棒の、開く距離位置の回転関係から、捩れ回転を起す仕組みにした、本来の中心棒（１３）は、ここに垂直線の中心回転棒であるべきものが、ここに異なる左右に振れる離れた位置関係の重心位置を取り換える仕組みの回転である。
【００３０】本発明の考案は、この中心棒（１３）の垂直線より上部で、左右に振り動かす中心位置から離れる中心棒の回転で、本来の垂直回転と異なり、上部回転中心棒の、左右に振れる動きが異なる回転幅となって、その基に、下部の中心回転棒に連結する重量回転体の重心位置を取り換える仕組みの中心棒の離れた位置の傾き回転を作る事から、重量回転体（２）は、重心位置を左右に振られて変化する回転仕組みとなって、下部の重量回転体（２）に傾きの反動力が伝わって、上部による下部の重量回転体の中の重心位置を、回転方向に進める中心棒の傾斜状の傾きに発生する自然回転力の重量の回転体（２）となる
【００３１】  ここに、回転体は、中心棒の左右に捩れる回転する重心位置を取り換える回転から、重量集積回転体の中に、更に取り付ける、電動機（３）、（５）による回転力が加わる。内部の直流発電機（４）の回転から発生する電流で、回転体の上部の外枠に環状固定歯車（３５）（３４）からからの内歯に発電機（４）から。電動機の回転中心棒の歯車が上部の内歯に触れあって回転して下部の重量回転体を下部の電動機（３）の電動機回転も加わる。ここに発電機の回転電流で、一旦蓄電器（４８）に蓄えた電流を電動機（３）の回転から、またその電動機の回転で発電機の回転中心棒を上に伸ばして上部の環状内歯の（３６）。に接合して回転運動を伝えて、重量回転体の電動機回転力（３）が加わる仕組みの自然回転力に加速する合成回転の電動機の動力回転に、また電動機（５）の回転が下部の回転中心棒の固定歯車と噛み合って、重心位置を更に取り換える速度を増す仕組みの重量回転体の回転に回転体の全体が遠心力となる中に、また平板回転盤（１２）の外部電流の電動機回転も加わり継続回転でより確実な、重心位置を取り換える自然回転となる仕組みの捩れ回転の動力である。
【００３２】ここに、更に回転体の勾配の高さの位置の形状の曲線位置からも、重量回転体の重心位置を取り換え仕組みに、加わる重量回転体の重心位置を取り換える高さ位置からも、重心位置を取り換える勾配の高さ、長さの位置の振動の発生から重心位置を取り換える自然回転力に、また内部発電機の電動機の回転が加わり、更に加速する、重心を取り換える、自然回転力となる重量回転体に、図１１，１２の上下振動と左右に振れる。振動も、振動変換器（２６）を取り付ける重心位置を回転進行の前に取り換える図１１．図１２．に示す上下、左右振動変換器（２６）てある。
【００３３】  この下に、外部電流の電動機（１５）も上部中心棒（７）に回転力を加えて、重量回転体の重心位置を取り換える、平板回転盤（１２）の上下接続の継続回転に力が加わる、連結する上部中心棒（７）の軸に、遠心力を高め分銅（８）の腕棒に連結した分銅（８）も、上部中心棒に加わる吊状支持回転（１４）が、この位置まで、高く伸びて、ここに、上部中心棒（７）の上には、外枠（１１）に発電機（１７）を設けて、蓄電器（１８）にその電流を一旦蓄えて、外枠の外部電流で回転する電動機（１５）に連結する。
【００３４】  また、他方の外部電流による交流電流を直流電流に変換する整流器（１６）を通して、外部電流の交流とも同じ直流電流に変換する事から、外部電動機（１５）の電流と、交換する仕組み自在となる内部発電機（１７）の電流と、交換の合成自在の外部電流の、図１の電動機（１５）の電流交換する、兼用電動機（１５）から重心位置を取り換える継続の重量回転体の仕組みの構造体である。
ここに外部電量の電動機（１５）も、直流に変換する内部電動機の直流に合流する統一する兼用の仕組みの重心位置を捩れ回転に、上部に取り付けた上部直流発電機（１７）と、蓄電器（１８）の電気器具を設けた図１、図１７の全体構造体の断面図である。
【００３５】更に、重量集積回転体の高さ位置に、蓄電器（４８）固定の枠台（５１）を設けて、固定支柱台（５１）の位置から慣性動力の遠心力を高さ位置から図４に示す分銅を取り付ける中心棒（１３）の上部に、環状の回転体の外周上部に、長さ、高さ位置に、分銅（５４）を取り付けた回転体である。そこに回転体の動力の上部位置にも、回転重量のアームの長さで、回転体の高さ位置の上の分銅（５４）を設けて取り付け、また重量集積回転盤（２）の下に襷棒の図３の分銅（９）を腕棒で取り付けた、重量回転体から外周回転の方向に遠心力を高める。
重心位置の捩れる回転力を高める、回転遠心力の分銅（５６）の慣性回転体で、回転速度で遠心力を高めて、重量回転体の高さ位置から、回転体の外周からも遠心力回転力を高める仕組みの、回転構造体（２）の、重心位置を捩れ回転する動力である。
【００３６】この外枠（１１）の内部の中に、重量回転体（２）が外枠（１１）の図１、図２に示す、中段天上とする（２１）の中間部から下部に、図３の重量集積回転体（２）が回転状に重量回転する仕組の構造体の傾斜勾配の高さ位置の、曲線形状の曲線、長さの自然回転体の重心位置を取り換える、上下振動の図３の振動バネ（２７）を重量回転体の長さの位置の上下振動に設けて、捩れ回転する水平方向の回転動力となる仕組みの重量回転体である。
【００３７】更に、この回転に中心棒（１３）の上部の見取り図１３、図５の上部には、また、図１４の中心棒の上部には、固定のゼンマイバネ式分銅（４６）を設けて。中心棒の上部に慣性天空分銅（２３）（２４）を設けて、取り付けて、回転体の外周にも遠心回転力を強めて、ここにも上下振動を起こす重量回転体の上部の振動位置から、図５の回転体の上部の外周部に環状遠心力を高める仕組みの中心棒（１３）に対する自然の重量回転体が、また遠心力の回転力となる仕組みの物である。
【００３８】その中心棒（１３）の下に、更に、図１４の慣性天空の、三辺分銅（２３）が三方に長く伸びる重心位置を中心棒から遠心力の重量を中心棒に託して、上部中心棒から左右に振れる限られた四分の一の角度内を、高さ角度の、長さのある外周からの分銅（２３）と腕棒の先端に、分銅（２３）を設ける遠心力の慣性力となる天空分銅で、限られた空間位置に遊動する遠心力による慣性動力と慣性動力となる仕組みであり、その下に図１４、図、１３の同じ中心棒（１３）から．更に、勾配位置の角度から、回転力に動力を加える、自由遊動する慣性動力の回転仕組みの第二の慣性天空分銅（５５）が、その上部の分銅の開きの中で素早く空間を、また、自由に飛び回る自由慣性力で回る。図１４の慣性天空分銅（５５）とこれを取り付ける天空振動バネ（２５）を更に、振動分銅（２４）を設け、高さ外周からの振動をここに回転体の中心棒（１３）に、回転力を横渡し渡し棒（４７）に、動力を与える仕組みの重量回転体の上部の高さ位置の外周位置から、回転体の高さの外周位置からの慣性力の速度の中に発生する回転慣性力も加わる。重量回転体の減速から割り出す加速動力と、分銅（５５）が慣性天空分銅の同時回転する速度で重心位置に反動力として、取り換える重量回転の重心位置を、回転方向の前に移動する仕組の動力を発生する。
【００３９】自由単独回転力の慣性力をまた。その反対側の位置の分銅（５６）に伝えて、天空回転慣性動力と振動力を、中心棒（１３）と、吊り回転棒（１４）の間の、横渡し支持棒（４８）の長さの棒の位置に、鋼線で回転方向の前に重心位置を捩れ回転する重心位置を回転進行方向の前に進める仕組みの捩れ回転動力となる。
ここに回転体の高さ位置の下部の重量回転の回転力が高さ位置から、重量も加わる仕組みの重量集積回転（２）の回転速度の変化を、感知する仕組みの回転速度による慣性力の変化する減速から回転力に、助成する動力と外周の遠心力の回転力を、加える仕組みの外周位置にも、上下振動のバネ（２５）と振動からも減速を感知する分銅の振動を分銅（５６）から、鋼線で重心位置を回転支持棒（４７）に回転方向の前に重心位置を、取り換える自然回転力を増す重量回転体である。
【００４０】。
下部中心棒（１３）の下には、この中心棒に固着の電動機（５）に噛み合う歯車と、大型電発電機（１０）に噛み合う固定歯車が固着してあり、これを更に、大型発電機（１０）には、図５に示す噛み合う歯車（３２）、を包装する回転体（２９）を取り付けてこれに、図５に示す固定歯車（重量回転体の歯車を固定して、これを、包装回転体（３１）の中心棒（１３）に，長さの回転棒と分銅（３２）を設けて、ここでも遠心力を高めて発電機を回転する回転動力を高める仕組みになっている。
【００４１】  中心棒（１３）の重量回転は、下部の中心棒の重荷が掛かる荷を補う、二重に包み、強める鋼管補助棒（３８）で中心棒を二重に包み固着する位置歯車（３３）に噛み合ら発電機の歯車（２２）を、包装回転体（２９）の中心棒となる回転腕棒と分銅（３２）による、下部遠心力を高める仕組みの、包装回転体（２９）となる重量回転体発電機（１０）である。
【００４２】  下部の中心棒（１３）の着地点は。こ中心棒に取り巻く鋼管状で、包む回転体の強度を高める鋼管棒の中に下部固定の中心棒（１３）は、鋼鉄管（３８）の中にして固着して、その鋼鉄管（３８）の中にベアリング球体を挟んで回転体を滑らか回転し。吊り状重量回転体の中心棒（１３）は鋼鉄管（３８）の中に固着の下に、下部固定中心棒（５７）を中にして上部中心棒は、鋼鉄管（３８）の中に入り、回転状に着地点する。
ここに中心棒（１３）の下部の着地点では、逆円錐形の重量回転する中心棒の上部に左右に傾き回転して、下部の重量回転体（２）の重心位置を左右に大きく取り換える重量回転となる仕組みの重心位置の高さの位置から、下部に左右に大きく振れる重量回転体（２）となる自然回転力を重心位置から回転進行方向の前に大きく動きを増す仕組みの重心位置を取り換える自然重量回転体の仕組みの重量回転発電機である。
【００４３】この基本重量回転盤（２）の拡大化する大型重量回転盤と、更に重量集積回転体の拡大する大型の重量回転体になる取り付け型の、図８、図９、図６の多角形に数を増す形状構造体の組合す仕組みに、立て付け型。横付け型の傾斜勾配高さ。長さの曲線の重量回転体の形状として、一組に重ね、交差する重量集積回転体の取り付けで、更に一組の重量回転体の中にした。重心位置を左右に振れながら回転方向の前に重心位置を回転方向の前に進めるしくみの形状の重心位置を取り換える仕組みの、全体構造から定める左右異なる片寄る重心位置に形状から取り換える仕組みの、大型発電機に対する、捩れ回転から更に重心位置を前に進める自然回転力を高める仕組の重量集積回転発電機である。
【００４４】ここに数を増す多角形の、縦型取り付けと。横型取り付けの拡大形状の取り付の構造形状図の、図５、図６、図８に示す組み合わせの傾斜勾配の高さ形状の。図４、図６、図８、図９、の重量集積回転体（２）から大型の重量集積回転体となり、またこの回転体にも発電機（４）。電動機（３）（５）。蓄電器取（４８）を装着し、多数の分銅を重心位置から取り付けた，重量回転体であるが、全体の重量回転体の重心位置は、左右の重量の総合体の統一の重心位置であり、そこに片方に片寄る重心位置を持つ取り付け位置に技術も加わる仕組みの重量回転構造体である。
【００４５】重量回転体には、回転時に発生する空気抵抗を受ける空気摩擦の減速を防ぐ、円盤状の包装回転体（３６）に取り付けて空気抵抗を少なくし、更に重量回転体の空気抵抗を少なくする仕組みの回転を速め、より多くの発電量を増す重量回転体の仕組みから、回転体の外周を円盤包装（３６）にする円盤容器で包む、仕組みの重量回転体にして、外枠（１１）の上部に、更に真空ボンブ図（５０）を設けて回転体（２）の外周の空間の外枠（１１）に、真空包装体（３７）となる図１７．図１８の断面図の。図１７の（３７）に、外枠（１１）に設ける。
【００４６】以上の様な構造で、これを使用する時は、最初は、外部電力の交流電流を電動機（１５）に連結工程に、まず整流器（１６）を通して、直流電動機（１５）の回転動力から始まり、回転ベルト（２０）の連動回転から、外枠（１１）の（２１）の上部の中心棒（７）の回転する外部電流の電動機回転（１５）から始まり、平板回転盤（１２）の上部の中心棒の回転で、重心位置を取り換える捩れ回転の仕組みから始まる。そこに重心位置を取り換える基本の、平板回転盤（１２）の下に、重量集積回転体（２）の内部発電機（４）が初動回転を始め、ここに一旦重量回転体のもつ蓄電池（４８）に送り。その内部電動機回転（３）（５）の回転が始まる、重心位置を取り換える自然回転体となる仕組みに、内部電動機（３）（５）との合成合力による、自然重量回転力が高まる仕組みの、内部電動機の回転力が高まる総合の回転力となる回転仕組みの重量回転体である。
【００４７】内部発電機が回転すると重量回転の重心位置を、取り換える吊り状の支持棒（１３）の重心位置を取り換える構造から、回転体の重心回転移動する仕組みの下で、平板回転盤（１２）の回転から重量集積回転（２）の回転力が始まり、同時にこの軸の回転軸（７）から上部外枠の外部電動機の回転力が伝わると、吊り状回転体（２）の回転支持棒（１４）が平板回転盤（１２）の球根（４４）の中を通り、球根（４４）の中で固着して吊り状回転の上下運動の円錐形の回転運動の交差点となり。上部の中心棒（７）に取り付ける遠心力回転棒を回転するアームと分銅（８）に接続して、回転する動力となる。ここにも遠心力回転による分銅（８）の回転動力となって。上部の発電機（１７）を回転する力となる。
【００４８】この発電機が回転すると、上部の蓄電器（１８）に電流が流れて、蓄電する蓄電器（１８）から外部電力に直流電動機（１５）に、電流が、また流れる交換の仕組みの回転体となり、外部電流が内部発電機（１７）の発電機の電流に切り替える、取り換え自在の仕組みの、外部電流とも交換できる全て直流電流による、下部に仕組みの大型交流発電機（１０）を回転する発電機である。
また、そこに重量回転体の中の自然回転体を中心とする、合流の内部電動機（３）（５）の回転する仕組みから、更に外枠（１１）の上の発電機（１７）の回転電力から、蓄電器（１８）に一旦、蓄めた電流で、外部電動機（１５）を活用する、重心位置を外枠からも、また回転体の内部にも、重心位置を取り換える重量回転体の加わる自然回転力を、高める仕組みの動力で、発電機を回転する効果を発揮する、燃料の要らない回転効果が得なれるものである。
【００４９】そこに、重心位置を取り換え。かつ重心位置を前に進める仕組みの重量回転する自然の回転体の動力を基本とする、外部電動機の回転も加え、総合の重量回転方向に、重心位置を取り換える重量集積回転体（２）の構造も、傾斜勾配の高さの曲線形状の回転方向の前に、重心位置を取り換える、重心位置を回転方向の前にして、重心位置に回転移動する、動力回転力も加わる仕組みの基に、重量回転体の内部に、発電機（４）と電動機（５）と蓄電器を設けた仕組みから、傾斜勾配の高さの長さ曲線形状の、重量集積回転体（２）の構造体から、曲線勾配高さの位置から分銅を、無数取り付けて、重量回転体の内部の重心位置を基準とする構造体の、回転方向の前に重心位置を回転移動し、更に、回転方向の前に捩れ回転に、重心位置を回転方向の前に進める回転、移動する仕組みの回転体に対して、これを外枠からも外部電力も加わる電動機回転も合成して、平板回転盤（１２）の外枠（１１）の中段天上の位置に、重量回転体の回転中心棒（１３）と重量集積回転体の回転支持回転棒（１４）の二つの組みからの平板回転盤（１２）の中に、距離を離れて同時回転する事から重心位置を回転方向の前に。捩れ回転する重量回転体の自然回転に、上下の外枠の作動する電動機の回転位置関係からも、重心位置を取り換える重量回転方向の前に、重心位置を捩れ回転する、自然の重量回転する合成力から成り立つ重心位置を取り換える重量回転体の重量回転動力で発電機を回転する仕組の発電機である。ここに、外部電流の電動機の電流から、重量回転体の電動機の回転で、更に回転体の形状から大型発電機を回転する仕組を特徴とする重量回転体増幅発電機。
【符号の説明】
【００５０】１    基礎基本回転盤                    ２７    重機振動バネ
２    傾斜重量集積回転盤                ２８    回転中心棒噛み合い歯車
３    直流電動機ａ                      ２９    歯車包装回転体
４    直流発電機                        ３０    上部中心外周補助棒
５    直流電動機ｂ                      ３１    下部歯車包装回転棒
６    分銅                              ３２    包装回転分銅
７    上部中心回転棒                    ３３    下部中心軸固定歯車
８    上部中心軸連結分銅                ３４    外枠中段固定環状内歯車ａ
９    襷重機盤分銅                      ３５    外枠中段固定環状内歯車ｂ
１０    大型交流発電機                  ３６    円盤容器
１１    回転盤取り付け外枠              ３７    外枠真空体
１２    平板回転盤                      ３８    鋼鉄管補助棒
１３    中心回転棒                      ３９    左右上下中心棒
１４    集積回転盤吊状回転棒            ４０    バネ
１５    外部電流電動機                  ４１    方向転換棒中心棒
１６    整流器                          ４２    取り付基礎台
１７    上部発電機                      ４３    ２６の横振れ回転支持棒
１８    上部蓄電器                      ４４    １２の球根
１９    上部中心棒歯車                  ４５    １２のベアリンク
２０    回転ベルト                      ４６    ゼンマイバネ式分銅
２１    外枠中段取り付台                ４７    １４の横渡し回転棒
２２    上部中心棒回転横棒              ４８    蓄電器
２３    慣性天空分銅                    ４９    １４中心棒と吊回転棒渡し棒
２４    天空振動分銅                    ５０    真空ポンプ
２５    振動天空振動のバネ              ５１    ２の蓄電器固定支柱台
２６    上下振動方向転換機              ５２    ２７の綱線
２７    重機振動バネ                    ５３    ２６  回転車
５４    上部外周円形回転分銅
５５    ２５の環状天空分銅
５６    ２５の天空作動分銅
５７    １１の下部の固定中心棒
【図１】
2019065836.tif 000003
【図２】
2019065836.tif 000004
【図３】
2019065836.tif 000005
【図４】
2019065836.tif 000006
【図５】
2019065836.tif 000007
【図６】
2019065836.tif 000008
【図７】
2019065836.tif 000009
【図８】
2019065836.tif 000010
【図９】
2019065836.tif 000011
【図１０】
2019065836.tif 000012
【図１１】
2019065836.tif 000013
【図１２】
2019065836.tif 000014
【図１３】
2019065836.tif 000015
【図１４】
2019065836.tif 000016
【図１５】
2019065836.tif 000017
【図１６】
2019065836.tif 000018